(57)【要約】【課題】機器数が多数の場合でも容易に機器間の接続を行うことのできる、省配線化されたオーディオシステムを実現する。【解決手段】各装置をマスタ装置を先頭としてＡＰラインとＳラインで二重にディジーチェイン接続する。スレーブ装置Ｂをスピーカから出力するオーディオ信号のソースとする場合、スレーブ装置Ｂで生成され上流側（マスタ装置側）のＳラインに出力されたオーディオ信号は、アンプ装置Ｂ、アンプ装置Ａ、スレーブ装置Ａによって順次、各装置の上流側のＳラインに中継されマスタ装置に送られる。マスタ装置は、Ｓラインから受信したオーディオ信号に所定の処理を施し、ＡＰラインに出力する。ＡＰラインに出力されたオーディオ信号は、スレーブ装置Ａ、アンプ装置Ａによって順次下流側のＡＰラインに中継され、アンプ装置Ａとアンプ装置Ｂに送られる。アンプ装置Ａとアンプ装置Ｂは受け取ったオーディオ信号を増幅し、自身に接続したスピーカに出力する。【選択図】図２
2004072137.tif 000002
【特許請求の範囲】
【請求項１】
複数の装置間で信号を伝送する信号伝送システムであって、
前記複数の装置は、信号を生成するソース装置と、信号の出力を行う出力装置と、信号処理を行うマスタ装置とを含み、
各装置は、前記マスタ装置を先頭として、第１系統の信号ラインと第２系統の信号ラインの２系統の信号ラインで２重にディジーチェイン接続されており、
前記マスタ装置は、第１系統の信号ラインから受信した信号に前記信号処理を施して、第２系統の信号ラインに送信する信号処理手段を有し、
前記マスタ装置方向を上流方向とし上流方向と反対方向を下流方向として、前記第１系統の信号ラインの下流側端ではない前記ソース装置は、下流側の第１系統の信号ラインから受信した信号を上流側の第１系統の信号ラインに送信する上り中継手段と、自身が生成した信号を上流側の第１系統の信号ラインに送信する生成信号送信手段と、上流側の第２系統の信号ラインから受信した信号を下流側の第２系統の信号ラインに送信する下り中継手段とを有し、
前記第２系統の信号ラインの下流側端ではない前記出力装置は、下流側の第１系統の信号ラインから受信した信号を上流側の第１系統の信号ラインに送信する上り中継手段と、上流側の第２系統の信号ラインから受信した信号を下流側の第２系統の信号ラインに送信する下り中継手段と、上流側の第２系統の信号ラインから受信した信号を出力する出力手段とを有し、
前記第１系統の信号ラインの下流側端である前記ソース装置は、自身が生成した信号を上流側の第１系統の信号ラインに送信する生成信号送信手段を有し、
前記第２系統の信号ラインの下流側端である前記出力装置は、上流側の第２系統の信号ラインから受信した信号を出力する出力手段とを有することを特徴とする信号伝送システム。
【請求項２】
複数の装置間でデジタルオーディオ信号を伝送するオーディオシステムであって、
前記複数の装置は、デジタルオーディオ信号を生成するオーディオソース装置と、デジタルオーディオ信号の出力を行うオーディオ出力装置と、デジタルオーディオ信号の信号処理を行うマスタ装置とを含み、
各装置は、前記マスタ装置を先頭として、第１系統の信号ラインと第２系統の信号ラインの２系統の信号ラインで２重にディジーチェイン接続されており、
前記マスタ装置は、第１系統の信号ラインから受信したデジタルオーディオ信号に前記信号処理を施して、第２系統の信号ラインに送信する信号処理手段を有し、
前記マスタ装置方向を上流方向とし上流方向と反対方向を下流方向として、前記第１系統の信号ラインの下流側端ではない前記オーディオソース装置は、下流側の第１系統の信号ラインから受信したデジタルオーディオ信号を上流側の第１系統の信号ラインに送信する上り中継手段と、自身が生成したデジタルオーディオ信号を上流側の第１系統の信号ラインに送信する生成信号送信手段と、上流側の第２系統の信号ラインから受信したデジタルオーディオ信号を下流側の第２系統の信号ラインに送信する下り中継手段とを有し、
前記第２系統の信号ラインの下流側端ではない前記オーディオ出力装置は、下流側の第１系統の信号ラインから受信したデジタルオーディオ信号を上流側の第１系統の信号ラインに送信する上り中継手段と、上流側の第２系統の信号ラインから受信したデジタルオーディオ信号を下流側の第２系統の信号ラインに送信する下り中継手段と、上流側の第２系統の信号ラインから受信したデジタルオーディオ信号を出力する出力手段とを有し、
前記第１系統の信号ラインの下流側端である前記オーディオソース装置は、自身が生成したデジタルオーディオ信号を上流側の第１系統の信号ラインに送信する生成信号送信手段を有し、
前記第２系統の信号ラインの下流側端である前記オーディオ出力装置は、上流側の第２系統の信号ラインから受信したデジタルオーディオ信号を出力する出力手段とを有することを特徴とするオーディオシステム。
【請求項３】
請求項２記載のオーディオシステムであって、
前記第１系統の信号ラインの下流側端ではない前記オーディオソース装置は、少なくとも第１系統の信号ラインの下流側のオーディオソース装置が前記オーディオ出力装置から出力するデジタルオーディオ信号を生成している場合に、前記上り中継手段に、下流側の第１系統の信号ラインから受信したデジタルオーディオ信号を上流側の第１系統の信号ラインに送信させ、少なくとも自身が前記オーディオ出力装置から出力するデジタルオーディオ信号を生成している場合に、前記生成信号送信手段にデジタルオーディオ信号を上流側の第１系統の信号ラインに送信させる制御手段を有することを特徴とするオーディオシステム。
【請求項４】
デジタルオーディオ信号を生成するオーディオソース装置であって、
第１系統の信号ラインと第２系統の信号ラインとを接続可能な第１の信号ポートと、
第１系統の信号ラインと第２系統の信号ラインとを接続可能な第２の信号ポートと、
デジタルオーディオ信号を生成する信号生成部と、
前記第１の信号ポートに接続された第２系統の信号ラインと前記第２の信号ポートに接続された第２系統の信号ラインとの間でデジタルオーディオ信号を中継する第１中継手段と、
前記第１の信号ポートに接続された第１系統の信号ラインから前記第２の信号ポートに接続された第１系統の信号ラインに向かう中継方向と、前記第２の信号ポートに接続された第１系統の信号ラインから前記第２の信号ポートに接続された第１系統の信号ラインに向かう中継方向とのうちの一方の中継方向を選択し、前記第１の信号ポートに接続された第１系統の信号ラインと前記第２の信号ポートに接続された第１系統の信号ラインとの間で、選択した中継方向にデジタルオーディオ信号を中継する第２中継手段と、
前記第１の信号ポートに接続された第１系統の信号ラインと前記第２の信号ポートに接続された第１系統の信号ラインのいずれか一方を選択し、選択した第１系統の信号ラインに前記信号生成部が生成したデジタルオーディオ信号を送信する信号送信手段と、
前記第２中継手段のデジタルオーディオ信号の中継の有無と、前記第２中継手段のデジタルオーディオ信号の中継方向の選択と、前記信号送信手段の前記デジタルオーディオ信号の送信の有無と、前記信号送信手段の前第１系統の信号ラインの選択とを制御する制御手段とを有することを特徴とするオーディオソース装置。
【請求項５】
デジタルオーディオ信号が表す音声を出力するオーディオ出力装置であって、第１系統の信号ラインと第２系統の信号ラインとを接続可能な第１の信号ポートと、
第１系統の信号ラインと第２系統の信号ラインとを接続可能な第２の信号ポートと、
供給されたデジタルオーディオ信号が表す音声を出力するオーディオ出力部と、
前記第１の信号ポートに接続された第１系統の信号ラインと前記第２の信号ポートに接続された第１系統の信号ラインとの間でデジタルオーディオ信号を中継する第１中継手段と、
前記第１の信号ポートに接続された第２系統の信号ラインから前記第２の信号ポートに接続された第２系統の信号ラインに向かう中継方向と、前記第２の信号ポートに接続された第２系統の信号ラインから前記第２の信号ポートに接続された第２系統の信号ラインに向かう中継方向とのうちの一方の中継方向を選択し、前記第１の信号ポートに接続された第２系統の信号ラインと前記第２の信号ポートに接続された第２系統の信号ラインとの間で、選択した中継方向にデジタルオーディオ信号を中継する第２中継手段と、
前記第１の信号ポートに接続された第２系統の信号ラインと前記第２の信号ポートに接続された第２系統の信号ラインのいずれか一方を選択し、選択した第２系統の信号ラインで受信したデジタルオーディオ信号を前記オーディオ出力部に供給する信号供給手段と、
前記第２中継手段のデジタルオーディオ信号の中継の方向の選択と、前記信号供給手段の前記第２系統の信号ラインの選択とを制御する制御手段とを有することを特徴とするオーディオ出力装置。
【請求項６】
請求項４記載のオーディオソース装置であって、
前記第２中継手段は、前記第１のポートの第１系統の信号ライン接続端子に一端が接続し他端に第２のポートの第１系統の信号ライン接続端子から入力したデジタルオーディオ信号が供給される第１のＭＯＳ　ＦＥＴと、前記第２のポートの第１系統の信号ライン接続端子に一端が接続し他端に第１のポートの第１系統の信号ライン接続端子から入力したデジタルオーディオ信号が供給される第２のＭＯＳ　ＦＥＴとを有し、前記第２中継手段のデジタルオーディオ信号の中継の有無と、前記第２中継手段のデジタルオーディオ信号の中継方向の選択は、第１のＭＯＳ　ＦＥＴと第２のＭＯＳ　ＦＥＴとのオン／オフ状態の組み合わせによって制御され、
前記信号送信手段は、前記第１のポートの第１系統の信号ライン接続端子に一端が接続し他端に前記信号生成部が生成したデジタルオーディオ信号が供給される第３のＭＯＳ　ＦＥＴと、前記第２のポートの第１系統の信号ライン接続端子に一端が接続し他端に前記信号生成部が生成したデジタルオーディオ信号が供給される第４のＭＯＳ　ＦＥＴとを有し、前記信号送信手段の前記デジタルオーディオ信号の送信の有無と、前記信号送信手段の前記第１系統の信号ラインの選択は、前記第３のＭＯＳ　ＦＥＴと前記第４のＭＯＳ　ＦＥＴとのオン／オフ状態の組み合わせによって制御されることを特徴とするオーディオソース装置。
【請求項７】
請求項５記載のオーディオ出力装置であって、
前記第２中継手段は、前記第１のポートの第２系統の信号ライン接続端子に一端が接続し他端に第２のポートの第２系統の信号ライン接続端子から入力したデジタルオーディオ信号が供給される第１のＭＯＳ　ＦＥＴと、前記第２のポートの第２系統の信号ライン接続端子に一端が接続し他端に第１のポートの第２系統の信号ライン接続端子から入力したデジタルオーディオ信号が供給される第２のＭＯＳ　ＦＥＴとを有し、前記第２中継手段のデジタルオーディオ信号の中継方向の選択は、第１のＭＯＳ　ＦＥＴと第２のＭＯＳ　ＦＥＴとのオン／オフ状態の組み合わせによって制御され、
前記信号供給手段は、前記第１のポートの第２系統の信号ライン接続端子に一端が接続し他端から前記オーディオ出力部に供給するデジタルオーディオ信号を出力する第３のＭＯＳ　ＦＥＴと、前記第２のポートの第２系統の信号ライン接続端子に一端が接続し他端から前記オーディオ出力部に供給するデジタルオーディオ信号を出力する第４のＭＯＳ　ＦＥＴとを有し、信号供給手段の前記第２系統の信号ラインの選択は、前記第３のＭＯＳ　ＦＥＴと前記第４のＭＯＳ　ＦＥＴとのオン／オフ状態の組み合わせによって制御されることを特徴とするオーディオ出力装置。
【発明の詳細な説明】
【０００１】
【発明の属する技術分野】
本発明は、複数の機器間で、ディジタルオーディオ信号などの信号を伝送する信号伝送システムに関し、特に、当該信号伝送システム構築を容易化する技術に関するものである。
【０００２】
【従来の技術】
たとえば、オーディオシステムを構成する複数のオーディオ装置間でデジタルオーディオ信号を送受する技術としては、Ｓ／ＰＤＩＦやＡＥＳ／ＥＢＵとして知られるＩＥＣ　６０９５８／ＥＩＡＪ　ＣＰ　１２０１規格のインタフェースをオーディオ信号の伝送に用いるシステムが広く普及している。
【０００３】
このようなＩＥＣ　６０９５８／ＥＩＡＪ　ＣＰ　１２０１規格のインタフェースを用いるシステムでは、サウンドプロセッサ装置やアンプ装置や各種プレイヤ装置などのオーディオシステムを構成する各機器を各々１対１に異なるケーブルを用いて接続することになる。
【０００４】
【発明が解決しようとする課題】
前述したようにＩＥＣ　６０９５８／ＥＩＡＪ　ＣＰ　１２０１規格のインタフェースを用いるシステムは、オーディオシステムを構成する特定の機器に複数の他の機器を接続する場合には、その特定の機器に他の機器を各々１対１で接続する形態、すなわち、スター型の接続形態を採用しているために、次のような問題が生じる。
【０００５】
すなわち、機器間の配線が煩雑となり混乱しやすい。また、特定の機器には、その特定の機器に設けられているインタフェースポートの数以上の機器を接続することができない。
また、プレイヤ、チューナ、イコライザ、アンプ、フェイズコントローラなど多種多様な機器で構成されるオーディオシステムにおいては、機器の接続順や接続ポートなどに特定のルールが存在することが多く、専門知識を持たない一般のユーザが適切に各機器を接続することには困難を伴うことが多い。
【０００６】
そこで、本発明は、機器数が多数の場合でもより容易に機器間の接続を行うことのできる、省配線化された信号伝送システムを提供することを課題とする。
【０００７】
【課題を解決するための手段】
前記課題達成のために、本発明は、信号を生成するソース装置と、信号の出力を行う出力装置と、信号処理を行うマスタ装置とを含む複数の装置間で信号を伝送する信号伝送システムを、前記マスタ装置を先頭として、第１系統の信号ラインと第２系統の信号ラインの２系統の信号ラインで２重に各装置をディジーチェイン接続することにより構成し、前記マスタ装置に、第１系統の信号ラインから受信した信号に前記信号処理を施して、第２系統の信号ラインに送信する信号処理手段を設け、前記マスタ装置方向を上流方向とし上流方向と反対方向を下流方向として、前記第１系統の信号ラインの下流側端ではない前記ソース装置に、下流側の第１系統の信号ラインから受信した信号を上流側の第１系統の信号ラインに送信する上り中継手段と、自身が生成した信号を上流側の第１系統の信号ラインに送信する生成信号送信手段と、上流側の第２系統の信号ラインから受信した信号を下流側の第２系統の信号ラインに送信する下り中継手段とを設け、前記第２系統の信号ラインの下流側端ではない前記出力装置に、下流側の第１系統の信号ラインから受信した信号を上流側の第１系統の信号ラインに送信する上り中継手段と、上流側の第２系統の信号ラインから受信した信号を下流側の第２系統の信号ラインに送信する下り中継手段と、上流側の第２系統の信号ラインから受信した信号を出力する出力手段とを設け、前記第１系統の信号ラインの下流側端である前記ソース装置に、自身が生成した信号を上流側の第１系統の信号ラインに送信する生成信号送信手段を設け、前記第２系統の信号ラインの下流側端である前記出力装置に、上流側の第２系統の信号ラインから受信した信号を出力する出力手段とを設けたものである。
【０００８】
このような信号伝送システムによれば、前記第１系統の信号ラインの下流側端ではない前記オーディオソース装置に制御手段を設け、制御手段において、少なくとも第１系統の信号ラインの下流側のオーディオソース装置が前記オーディオ出力装置から出力するデジタルオーディオ信号を生成している場合に、前記上り中継手段に、下流側の第１系統の信号ラインから受信したデジタルオーディオ信号を上流側の第１系統の信号ラインに送信させ、少なくとも自身が前記オーディオ出力装置から出力するデジタルオーディオ信号を生成している場合に、前記生成信号送信手段にデジタルオーディオ信号を上流側の第１系統の信号ラインに送信させるようにすることができ、これにより任意のソース装置からマスタ装置に第１のラインのディジーチェインを用いて信号を伝送し、マスタにおいて任意のソース装置から受信した信号を処理し、処理結果としての信号を任意の出力装置に第２のラインのディジーチェインを用いて信号を伝送し、出力させることができる。
【０００９】
したがって、複数のソース装置や出力装置を含めた信号伝送システムを、マスタ装置を先頭として、ソース装置と出力装置を順次、接続順を考慮する必要なしにディジーチェイン接続していくだけで容易に構築することができる。また、構成の変更等も同様に容易に行うことができる。また、ディジーチェイン接続の採用により、スター型の配線を行う場合に比べ省配線化が図られる。また、マスタ装置へ向かう信号の伝送に用いる伝送路である第１のラインと、マスタ装置から下流に向かう信号の伝送に用いる伝送路である第２系統の信号ラインとを分離して設けたので、各装置の信号伝送のための構成を、同じ信号ラインで信号の双方向伝送を行う場合などに比べ簡易化することができる。
【００１０】
ここで、前記信号をデジタルオーディオ信号とし、前記ソース装置をデジタルオーディオ信号を生成するオーディオソース装置とし、前記出力装置をデジタルオーディオ信号の出力を行うオーディオ出力装置とし、前記マスタ装置をデジタルオーディオ信号の信号処理を行う装置としてもよい。
【００１１】
また、この場合には、たとえば、オーディオソース装置は、第１系統の信号ラインと第２系統の信号ラインとを接続可能な第１の信号ポートと、第１系統の信号ラインと第２系統の信号ラインとを接続可能な第２の信号ポートと、デジタルオーディオ信号を生成する信号生成部と、前記第１の信号ポートに接続された第２系統の信号ラインと前記第２の信号ポートに接続された第２系統の信号ラインとの間でデジタルオーディオ信号を中継する第１中継手段と、前記第１の信号ポートに接続された第１系統の信号ラインから前記第２の信号ポートに接続された第１系統の信号ラインに向かう中継方向と、前記第２の信号ポートに接続された第１系統の信号ラインから前記第２の信号ポートに接続された第１系統の信号ラインに向かう中継方向とのうちの一方の中継方向を選択し、前記第１の信号ポートに接続された第１系統の信号ラインと前記第２の信号ポートに接続された第１系統の信号ラインとの間で、選択した中継方向にデジタルオーディオ信号を中継する第２中継手段と、前記第１の信号ポートに接続された第１系統の信号ラインと前記第２の信号ポートに接続された第１系統の信号ラインのいずれか一方を選択し、選択した第１系統の信号ラインに前記信号生成部が生成したデジタルオーディオ信号を送信する信号送信手段と、前記第２中継手段のデジタルオーディオ信号の中継の有無と、前記第２中継手段のデジタルオーディオ信号の中継方向の選択と、前記信号送信手段の前記デジタルオーディオ信号の送信の有無と、前記信号送信手段の前第１系統の信号ラインの選択とを制御する制御手段とを備えて構成することが好ましい。
【００１２】
このような構成によれば、第１の信号ポートと第２の信号ポートのどちらが上流側となっても同様に対応することができる。したがって、ユーザは第１系統の信号ラインと第２系統の信号ラインをオーディオソース装置に接続する際に、空いている信号ポートに接続すれば足り、どちらの接続ポートに接続すべきかを考慮する必要がない。
【００１３】
一方、オーディオ出力装置は、第１系統の信号ラインと第２系統の信号ラインとを接続可能な第１の信号ポートと、第１系統の信号ラインと第２系統の信号ラインとを接続可能な第２の信号ポートと、供給されたデジタルオーディオ信号が表す音声を出力するオーディオ出力部と、前記第１の信号ポートに接続された第１系統の信号ラインと前記第２の信号ポートに接続された第１系統の信号ラインとの間でデジタルオーディオ信号を中継する第１中継手段と、前記第１の信号ポートに接続された第２系統の信号ラインから前記第２の信号ポートに接続された第２系統の信号ラインに向かう中継方向と、前記第２の信号ポートに接続された第２系統の信号ラインから前記第２の信号ポートに接続された第２系統の信号ラインに向かう中継方向とのうちの一方の中継方向を選択し、前記第１の信号ポートに接続された第２系統の信号ラインと前記第２の信号ポートに接続された第２系統の信号ラインとの間で、選択した中継方向にデジタルオーディオ信号を中継する第２中継手段と、前記第１の信号ポートに接続された第２系統の信号ラインと前記第２の信号ポートに接続された第２系統の信号ラインのいずれか一方を選択し、選択した第２系統の信号ラインで受信したデジタルオーディオ信号を前記オーディオ出力部に供給する信号供給手段と、前記第２中継手段のデジタルオーディオ信号の中継の方向の選択と、前記信号供給手段の前記第２系統の信号ラインの選択とを制御する制御手段と備えて構成することが好ましい。
【００１４】
このような構成によれば、第１の信号ポートと第２の信号ポートのどちらが上流側となっても同様に対応することができる。したがって、ユーザは第１系統の信号ラインと第２系統の信号ラインをオーディオ出力装置に接続する際に、空いている信号ポートに接続すれば足り、どちらの接続ポートに接続すべきかを考慮する必要がない。
【００１５】
また、以上のようにオーディオソース装置を構成する場合には、前記第２中継手段を、前記第１のポートの第１系統の信号ライン接続端子に一端が接続し他端に第２のポートの第１系統の信号ライン接続端子から入力したデジタルオーディオ信号が供給される第１のＭＯＳ　ＦＥＴと、前記第２のポートの第１系統の信号ライン接続端子に一端が接続し他端に第１のポートの第１系統の信号ライン接続端子から入力したデジタルオーディオ信号が供給される第２のＭＯＳ　ＦＥＴとを有し、前記第２中継手段のデジタルオーディオ信号の中継の有無と、前記第２中継手段のデジタルオーディオ信号の中継方向の選択は、第１のＭＯＳ　ＦＥＴと第２のＭＯＳ　ＦＥＴとのオン／オフ状態の組み合わせによって制御されるものとし、前記信号送信手段を、前記第１のポートの第１系統の信号ライン接続端子に一端が接続し他端に前記信号生成部が生成したデジタルオーディオ信号が供給される第３のＭＯＳ　ＦＥＴと、前記第２のポートの第１系統の信号ライン接続端子に一端が接続し他端に前記信号生成部が生成したデジタルオーディオ信号が供給される第４のＭＯＳ　ＦＥＴとを有し、前記信号送信手段の前記デジタルオーディオ信号の送信の有無と、前記信号送信手段の前記第１系統の信号ラインの選択は、前記第３のＭＯＳ　ＦＥＴと前記第４のＭＯＳ　ＦＥＴとのオン／オフ状態の組み合わせによって制御されるものとすることも好ましい。
【００１６】
このように構成することにより、オーディオソース装置の内部回路をＭＯＳ　ＦＥＴによって第１系統の信号ライン上の過電圧から保護することができると共に、これらＭＯＳ　ＦＥＴを信号伝送経路の切替にも利用できるので装置構成の簡略化が図られる。
【００１７】
また、オーディオ出力装置についても同様に、以上のようにオーディオ出力装置を構成する場合には、前記第２中継手段を、前記第１のポートの第２系統の信号ライン接続端子に一端が接続し他端に第２のポートの第２系統の信号ライン接続端子から入力したデジタルオーディオ信号が供給される第１のＭＯＳ　ＦＥＴと、前記第２のポートの第２系統の信号ライン接続端子に一端が接続し他端に第１のポートの第２系統の信号ライン接続端子から入力したデジタルオーディオ信号が供給される第２のＭＯＳ　ＦＥＴとを有し、前記第２中継手段のデジタルオーディオ信号の中継方向の選択は、第１のＭＯＳ　ＦＥＴと第２のＭＯＳ　ＦＥＴとのオン／オフ状態の組み合わせによって制御されるものとし、前記信号供給手段を、前記第１のポートの第２系統の信号ライン接続端子に一端が接続し他端から前記オーディオ出力部に供給するデジタルオーディオ信号を出力する第３のＭＯＳ　ＦＥＴと、前記第２のポートの第２系統の信号ライン接続端子に一端が接続し他端から前記オーディオ出力部に供給するデジタルオーディオ信号を出力する第４のＭＯＳ　ＦＥＴとを有し、信号供給手段の前記第２系統の信号ラインの選択は、前記第３のＭＯＳ　ＦＥＴと前記第４のＭＯＳ　ＦＥＴとのオン／オフ状態の組み合わせによって制御されるものとすることも好ましい。
【００１８】
このようにすることにより、オーディオ出力装置の内部回路をＭＯＳ　ＦＥＴによって第１系統の信号ライン上の過電圧から保護することができると共に、これらＭＯＳ　ＦＥＴを信号伝送経路の切替にも利用することにより装置構成の簡略化が図られる。
【００１９】
【発明の実施の形態】
以下、本発明の実施形態について、デジタルのオーディオ信号を機器間で伝送するオーディオシステムへの適用を例にとり説明する。
図１ａに、本実施形態に係るオーディオシステムの構成例を示す。
図示するように、本オーディオシステムは、デジタルサウンドプロセッサなどのオーディオシステムにおけるオーディオ処理の中心となる一つのマスタ装置と、オーディオ信号のソースとなる一つまたは複数のスレーブ装置と、スピーカにオーディオを出力する一つまたは複数のアンプ装置とを有する。
【００２０】
そして、各装置は、制御信号を伝送するＣＮＴラインによってバス接続されると共に、ＡＰラインとＳラインとの二系統の信号伝送ラインによって二重に、マスタ装置が一端となるようにディジーチェイン接続されている。ここで、ディジーチェイン上における、各スレーブと各アンプ装置との接続順は任意であってよい。
【００２１】
以下、このようなオーディオシステムにおいて、ＡＰラインとＳラインによるディジーチェインに沿って見た場合に、マスタ装置側となる方向を上流方向、逆側となう方向を下流方向として説明を行う。
次に、図１ｂに、本実施形態に係るオーディオシステムの他の構成例を示す。
図示するように、このオーディオシステムは、図１ａのオーディオシステムをマスタ装置を共通として二重に備えているものである。
さて、これらのようなオーディオシステムを構成する機器として、本実施形態では、各機器を、１ポートマスタ、２ポートマスタ、１ポートサブマスタ、２ポートサブマスタ、１ポートスレーブ、２ポートスレーブ、１ポートアンプ、２ポートアンプとして構成する。
【００２２】
１ポートマスタ（１Ｍ）は、図１ａに示すようなＡＰラインとＳラインのセットを１つだけ接続することができるマスタ装置であり、２ポートマスタ（２Ｍ）は図１ｂに示すようにＡＰラインとＳラインのセットを一つ又は２つ接続することができるマスタ装置である。また、１ポートサブマスタ（１ＳＭ）は、図１ａに示すようなＡＰラインとＳラインのセットを１つだけ接続することができるマスタ装置としても機能でき、ＡＰラインとＳラインによるディジーチェインの下流側端にのみ接続することのできるスレーブ装置としても機能できる装置である。そして、２ポートサブマスタ（２ＳＭ）は、図１ａや図１ｂに示すマスタ装置としても機能でき、ＡＰラインとＳラインによるディジーチェインの途中にも下流側端にも接続することができるスレーブ装置としても機能できる装置である。
【００２３】
また、１ポートスレーブ（１Ｓ）はＡＰラインとＳラインによるディジーチェインの下流側端にのみ接続することのできるスレーブ装置であり、２ポートスレーブ（２Ｓ）はＡＰラインとＳラインによるディジーチェインの途中にも下流側端にも接続することができるスレーブ装置である。そして、また、１ポートアンプ（１Ａ）はＡＰラインとＳラインによるディジーチェインの下流側端にのみ接続することのできるアンプ装置であり、２ポートアンプ（２Ａ）はＡＰラインとＳラインによるディジーチェインの途中にも下流側端にも接続することができるアンプ装置である。
【００２４】
次に、本オーディオシステムにおけるオーディオ信号の伝送経路について説明する。
図２ａ、ｂに、図１ａに示した構成例におけるオーディオ信号の伝送経路の例を示す。
図２ａに示した伝送経路は、図中のスレーブ装置Ｂをスピーカから出力するオーディオ信号のソースとする場合の伝送経路を示したものであり、図示するようにスレーブ装置Ｂで生成され上流側のＳラインに出力されたオーディオ信号は、アンプ装置Ｂ、アンプ装置Ａ、スレーブ装置Ａによって順次、各装置の上流側のＳラインに中継されマスタ装置に送られる。マスタ装置は、Ｓラインから受信したオーディオ信号に所定の処理（たとえば、イコライジング）を施し、ＡＰラインに出力する。ＡＰラインに出力されたオーディオ信号は、スレーブ装置Ａ、アンプ装置Ａによって順次下流側のＡＰラインに中継され、アンプ装置Ａとアンプ装置Ｂに送られる。アンプ装置Ａとアンプ装置Ｂは受け取ったオーディオ信号を増幅し、自身に接続したスピーカに出力する。
【００２５】
一方、図２ｂに示した伝送経路は、図中の、スレーブ装置Ａをスピーカから出力するオーディオ信号のソースとする場合の伝送経路を示したものであり、図示するようにスレーブ装置Ａで生成され上流側のＳラインに出力されたオーディオ信号は、マスタ装置に送られる。マスタ装置は、Ｓラインから受信したオーディオ信号に所定の処理を施し、ＡＰラインに出力する。ＡＰラインに出力されたオーディオ信号は、図１ａと同様に、スレーブ装置Ａ、アンプ装置Ａによって順次下流側のＡＰラインに中継され、アンプ装置Ａとアンプ装置Ｂに送られる。アンプ装置Ａとアンプ装置Ｂは上流側のＡＰラインより受け取ったオーディオ信号を増幅し、自身に接続したスピーカに出力する。
【００２６】
以上のように、本実施形態によれば、スレーブ装置とアンプ装置を任意の順序で順次ディジーチェイン接続していくだけで、任意のスレーブ装置で生成されたオーディオ信号をマスタ装置に伝送すると共に、マスタ装置で処理したオーディオ信号を各アンプ装置に伝送することができるようになる。
【００２７】
さて、次に、図２ｃに図１ｂに示した構成例におけるオーディオ信号の伝送経路の例を示す。
図２ｃに示した伝送経路は、図中のスレーブ装置Ｂをスピーカから出力するオーディオ信号のソースとする場合の伝送経路を示したものであり、図示するようにスレーブ装置Ｂで生成され上流側のＳラインに出力されたオーディオ信号は、アンプ装置Ａ、スレーブ装置Ａによって順次、各装置の上流側のＳラインに中継されマスタ装置に送られる。マスタ装置は、Ｓラインから受信したオーディオ信号に所定の処理を施し、接続する二つのＡＰラインに各々出力する。スレーブ装置Ａに接続されたＡＰラインに出力されたオーディオ信号は、スレーブ装置Ａによって下流側のＡＰラインに中継され、アンプ装置Ａに送られる。一方、スレーブ装置Ｄに接続されたＡＰラインに出力されたオーディオ信号は、スレーブ装置Ｄ、スレーブ装置Ｅ、アンプ装置Ｂによって、順次、各装置の下流側のＡＰラインに中継されアンプ装置Ｂとアンプ装置Ｃに送られる。アンプ装置Ａ、アンプ装置Ｂ、アンプ装置Ｃは、上流側のＡＰラインより受け取ったオーディオ信号を増幅し、自身に接続したスピーカに出力する。
【００２８】
ここで、図１ｂに示した構成においては、ＡＰラインとＳラインのセットのディジーチェインの二つの系統（図２ｃのマスタ装置とスレーブ装置Ａとアンプ装置Ａとスレーブ装置Ｂとスレーブ装置Ｃの系統と、マスタ装置とスレーブ装置Ｄとスレーブ装置Ｅとアンプ装置Ｂとアンプ装置Ｃの系統）の各々において、それぞれ図２ａ、ｂに示した様な各系統内における伝送経路によるオーディオ信号の伝送を行うことも可能である。
【００２９】
以下、このようなオーディオシステムの構成と信号伝送を可能とする、１ポートマスタ、２ポートマスタ、１ポートサブマスタ、２ポートサブマスタ、１ポートスレーブ、２ポートスレーブ、１ポートアンプ、２ポートアンプの詳細について説明する。
【００３０】
まず、図３ａ１に、１ポートマスタの内部構成を示す。
図示するように、１ポートマスタは、ＡＰラインとＳラインを脱着可能に接続することのできる一つの信号ポート３１１、ＣＮＴラインを脱着可能に接続することのできる制御ポート３０１、制御部３０２、信号処理部３０３、切替部３２１、ドライバ部３２２を有する。
【００３１】
制御部３０２は、各アンプ装置や各スレーブ装置のＣＮＴラインを介した制御や信号処理部３０３の制御を行う。信号処理部３０３は、信号ポート３１１、切替部３２１、ドライバ部３２２を介してＳラインから入力したオーディオ信号に所定のオーディオ処理を施して、ドライバ部３２２、切替部３２１、信号ポート３１１を介して、ＡＰラインに出力する。
【００３２】
図３ａ２に示すように、ドライバ部３２２は、信号ポート３１１と切替部３２１を介して入力するＳラインからの入力オーディオ信号を増幅し信号処理部３０３のオーディオ信号入力Ｓｉｎとする入力ドライバ３３１と、信号処理部３０３のオーディオ信号出力ＡＰｏｕｔを増幅出力する出力ドライバ３４１とを有する。そして、切替部３２１は、信号ポート３１１のＳライン用端子にドレインが接続され入力ドライバの入力にソースが接続されたＭＯＳ　ＦＥＴ３５１、信号ポート３１１のＡＰライン用端子にドレインが接続され出力ドライバ３４１の出力にソースが接続されたＭＯＳ　ＦＥＴ３５２を有する。ＭＯＳ　ＦＥＴ３５１、３５２のゲートには常時オン信号（出力ドライバ３４１の出力又は信号ポート３１１から入出力するのオーディオ信号の電圧値より大きく出力ドライバ３４１及び入力ドライバ３３１の耐電圧より小さい定電圧）が印加され、ＭＯＳ　ＦＥＴ３５１、３５２は常時オンの状態となる。
【００３３】
次に、図３ｂ１に２ポートマスタの内部構成を示す。
図示するように、２ポートマスタは、制御ポート３８１、制御部３８２、信号処理部３８３を有する。また、図３ａ１に示した１ポートマスタにおける信号ポート３１１と切替部３２１とドライバ部３２２のセットを２系統３７１、３７２備えている。制御部３８２は、各アンプ装置や各スレーブ装置のＣＮＴラインを介した制御や信号処理部３８３の制御を行う。信号処理部３８３は、セット３７１とセット３７２の二つの系統の各系統毎に、信号ポート３１１、切替部３２１、ドライバ部３２２を介してＳラインから入力したオーディオ信号に所定のオーディオ処理を施して、ドライバ部３２２、切替部３２１、信号ポート３１１を介して、ＡＰラインに出力する動作や、セット３７１とセット３７２の二つの系統のうちの任意の一方の系統の信号ポート３１１、切替部３２１、ドライバ部３２２を介してＳラインから入力したオーディオ信号に所定のオーディオ処理を施して、セット３７１とセット３７２の両系統のドライバ部３２２、切替部３２１、信号ポート３１１を介してＡＰラインに出力する動作などを行う。
【００３４】
ここで、図３ｂ２に示すように、セット３７１とセット３７２の切替部３２１とドライバ部３２２の内部構成も、図３ａ２に示した１ポートマスタの切替部３２１とドライバ部３２２の内部構成と同様である。
次に、図４ａ１に１ポートサブマスタの内部構成を示す。
図示するように、１ポートサブマスタは、ＡＰラインとＳラインを脱着可能に接続することのできる一つの信号ポート４１１、ＣＮＴラインを脱着可能に接続することのできる制御ポート４０１、制御部４０２、信号処理部４０３、切替部４２１、ドライバ部４２２を有する。
【００３５】
制御部４０２は、マスタ装置として機能するときには各アンプ装置や各スレーブ装置のＣＮＴラインを介した制御や信号処理部４０３や切替部４２１やドライバ部４２２の制御を行い、スレーブ装置として機能するときにはＣＮＴラインを介したマスタ装置の制御に応じて信号処理部４０３や切替部４２１やドライバ部４２２の制御を行う。信号処理部４０３は、マスタ装置として機能するときには、信号ポート４１１、切替部４２１、ドライバ部４２２を介してＳラインから入力したオーディオ信号に所定のオーディオ処理を施して、ドライバ部４２２、切替部４２１、信号ポート４１１を介して、ＡＰラインに出力する。また、スレーブ装置として機能するときには、信号処理部４０３において生成したオーディオ信号をドライバ部４２２、切替部４２１、信号ポート４１１を介して、Ｓラインに出力する。
【００３６】
図４ａ２に示すように、ドライバ部４２２は、信号ポート４１１と切替部４２１を介して入力するＳラインからの入力オーディオ信号を増幅し信号処理部４０３のオーディオ信号入力Ｓｉｎとする入力ドライバ４３１と、信号処理部４０３のオーディオ信号出力ＡＰｏｕｔ／Ｓｏｕｔを増幅出力する出力ドライバ４４１とを有する。そして、切替部４２１は、信号ポート４１１のＳライン用端子にドレインが接続され入力ドライバ４３１の入力にソースが接続されたＭＯＳ　ＦＥＴ４５１、信号ポート４１１のＳライン用端子にドレインが接続され出力ドライバ４４１の出力にソースが接続されたＭＯＳ　ＦＥＴ４５２、信号ポート４１１のＡＰライン用端子にドレインが接続され出力ドライバ４４１の出力にソースが接続されたＭＯＳ　ＦＥＴ４５３を有する。
【００３７】
各ＭＯＳ　ＦＥＴ４５１〜４５３のゲートには制御部４０２によって前記したオン信号とゼロ電圧であるオフ信号のいずれかが印加され、印加された信号に応じてオン状態とオフ状態のいずれかをとる。
図５ａ１は、マスタ装置として機能するときの切替部４２１の状態を示したものでありＭＯＳ　ＦＥＴ４５１、４５３のみが制御部４０２によってオン状態に制御され、Ｓラインからの入力オーディオ信号が信号処理部４０３の入力オーディオ信号Ｓｉｎとなり、信号処理部４０３の出力オーディオ信号ＡＰｏｕｔがＡＰラインに出力される。一方、図５ａ　２はスレーブ装置として機能する場合の切替部４２１の状態を示したものであり、ＭＯＳ　ＦＥＴ４５２のみが制御部４０２によってオン状態に制御され信号処理部４０３の出力オーディオ信号ＳｏｕｔがＳラインに出力される。
【００３８】
次に、図４ｂ１に２ポートサブマスタの内部構成を示す。
図示するように、２ポートサブマスタは、ＡＰラインとＳラインを脱着可能に接続することのできる二つの信号ポート５１１、５１２、ＣＮＴラインを脱着可能に接続することのできる制御ポート５０１、制御部５０２、信号処理部５０３、切替部５２１、ドライバ部５２２とを有する。制御部５０２は、マスタ装置として機能するときには各アンプ装置や各スレーブ装置のＣＮＴラインを介した制御や信号処理部５０３や切替部５２１やドライバ部５２２の制御を行い、スレーブ装置として機能するときにはＣＮＴラインを介したマスタ装置の制御に応じて信号処理部５０３や切替部５２１やドライバ部５２２の動作の制御を行う。
【００３９】
図４ｂ２に示すように、ドライバ部５２２は、オーディオ信号を増幅して信号処理部５０３のオーディオ信号入力Ｓｉｎに入力する第１入力ドライバ５３１と、オーディオ信号を増幅して信号処理部５０３のオーディオ信号入力ＡＰｉｎに入力する第２入力ドライバ５３２と、信号処理部５０３のオーディオ信号出力Ｓｏｕｔと第１入力ドライバ５３１の出力と信号処理部５０３のオーディオ信号出力ＡＰｏｕｔとを入力とする第１セレクタ５６１と、信号処理部５０３のオーディオ信号出力ＡＰｏｕｔと第２入力ドライバ５３２の出力とを入力とする第２セレクタ５６２と、第１セレクタ５６１の出力を増幅する第１出力ドライバ５４１と、第２セレクタの出力を増幅する第２出力ドライバ５４２とを有する。
【００４０】
そして、切替部５２１は、信号ポートＡ５１１のＳライン用端子にドレインが接続され第１入力ドライバ５３１の入力にソースが接続されたＭＯＳ　ＦＥＴ５５１、信号ポートＢ５１２のＳライン用端子にドレインが接続され第１入力ドライバ５３１の入力にソースが接続されたＭＯＳ　ＦＥＴ５５２、信号ポートＡ５１１のＳライン用端子にドレインが接続され第１出力ドライバ５４１の出力にソースが接続されたＭＯＳ　ＦＥＴ５５３、信号ポートＡ５１１のＡＰライン用端子にドレインが接続され第２入力ドライバ５３２の入力にソースが接続されたＭＯＳ　ＦＥＴ５５４、信号ポートＡ５１１のＡＰライン用端子にドレインが接続され第１出力ドライバ５４１の出力にソースが接続されたＭＯＳ　ＦＥＴ５５５、信号ポートＢ５１２のＳライン用端子にドレインが接続され第１出力ドライバ５４１の出力にソースが接続されたＭＯＳ　ＦＥＴ５５６、信号ポートＢ５１２のＡＰライン用端子にドレインが接続され第２入力ドライバ５３２の入力にソースが接続されたＭＯＳ　ＦＥＴ５５７、信号ポートＡ５１１のＡＰライン用端子にドレインが接続され第２出力ドライバ５４２の出力にソースが接続されたＭＯＳ　ＦＥＴ５５８、信号ポートＢ５１２のＡＰライン用端子にドレインが接続され第２出力ドライバ５４２の出力にソースが接続されたＭＯＳ　ＦＥＴ５５９とを有する。
【００４１】
各ＭＯＳ　ＦＥＴ５５１〜５５９のゲートには制御部５０２によって前記したオン信号とゼロ電圧であるオフ信号のいずれかが印加され、印加された信号に応じてオン状態とオフ状態のいずれかをとる。また、第１セレクタ５６１と第２セレクタ５６２は、制御部５０２の制御に従って、複数の入力のうちの一つの入力を選択し出力する。
【００４２】
さて、このような２ポートサブマスタの動作は次のようになる。
まず、マスタ装置として機能するときには、次の動作を行う。
すなわちオーディオ信号のソースとなるスレーブ装置が信号ポートＡ５１１側に接続されているときには、図５ｂ１に示すように、制御部５０２は、ＭＯＳ　ＦＥＴ５５１、５５５、５５９のみがオンとなり、第１セレクタ５６１が信号処理部５０３のオーディオ信号出力ＡＰｏｕｔを選択し、第２セレクタ５６２が信号処理部５０３のＡＰｏｕｔを選択するよう制御する。そして、これにより切替部５２１、ドライバ部５２２を介して信号ポートＡ５１１のＳラインから入力したオーディオ信号を信号処理部５０３のオーディオ信号入力Ｓｉｎとし、信号処理部５０３で所定のオーディオ処理を施させ、信号処理部５０３でオーディオ処理されたオーディオ信号出力ＡＰｏｕｔを、ドライバ部５２２、切替部５２１を介して、信号ポートＡ５１１及び信号ポートＢ５１２のＡＰラインに出力する。また、オーディオ信号のソースとなるスレーブ装置が信号ポートＢ５１２側に接続されているときには、図５ｂ２に示すように、制御部５０２は、ＭＯＳ　ＦＥＴ５５２、５５５、５５９のみがオンとなり、第１セレクタ５６１が信号処理部５０３のオーディオ信号出力ＡＰｏｕｔを選択し、第２セレクタ５６２が信号処理部５０３のＡＰｏｕｔを選択するよう制御する。そして、これにより、切替部５２１、ドライバ部５２２を介して信号ポートＢ５１２のＳラインから入力したオーディオ信号を信号処理部５０３のオーディオ信号入力Ｓｉｎとし、信号処理部５０３で所定のオーディオ処理を施させ、信号処理部５０３でオーディオ処理されたオーディオ信号出力ＡＰｏｕｔを、ドライバ部５２２、切替部５２１を介して、信号ポートＡ５１１及び信号ポートＢ５１２のＡＰラインに出力する。
【００４３】
また、スレーブ装置として機能するときの動作は次のようになる。
すなわち、オーディオ信号のソースとなるスレーブ装置が自身ではなく、上流が信号ポートＡ５１１側である場合には、図５ｂ３に示すように、制御部５０２は、ＭＯＳ　ＦＥＴ５２２、５２３、５２４、５２９のみがオンとなり、第１セレクタ５６１は第１入力ドライバ５３１の出力を選択し、第２セレクタ５６２は第２入力ドライバ５３２の出力を選択するよう制御する。そして、これにより信号ポートＢ５１２のＳラインから入力するオーディオ信号を切替部５２１、ドライバ部５２２を介して信号ポートＡ５１１のＳラインに中継して出力し、信号ポートＡ５１１のＡＰラインから入力するオーディオ信号を切替部５２１、ドライバ部５２２を介して信号ポートＢ５１２のＡＰラインに中継して出力する。また、オーディオ信号のソースとなるスレーブ装置が自身ではなく、上流が信号ポートＢ５１２側である場合には、図５ｂ４に示すように、制御部５０２は、ＭＯＳ　ＦＥＴ５５１、５５６、５５７、５５８のみがオンとなり、第１セレクタ５６１は第１入力ドライバ５３１の出力を選択し、第２セレクタ５６２は第２入力ドライバ５３２の出力を選択するよう制御する。そして、これにより信号ポートＡ５１１のＳラインから入力するオーディオ信号を切替部５２１、ドライバ部５２２を介して信号ポートＢ５１２のＳラインに中継して出力し、信号ポートＢ５１２のＡＰラインから入力するオーディオ信号を切替部５２１、ドライバ部５２２を介して信号ポートＡ５１１のＡＰラインに中継して出力する。
【００４４】
そして、オーディオ信号のソースとなるスレーブ装置が自身であり、上流が信号ポートＡ５１１側である場合には、図５ｂ５に示すように、制御部５０２は、ＭＯＳ　ＦＥＴ５５３、５５４、５５９のみがオンとなり、第１セレクタ５６１は信号処理部５０３のオーディオ信号出力Ｓｏｕｔを選択し、第２セレクタ５６２は第２入力ドライバ５３２の出力を選択するよう制御する。そして、これにより、信号処理部５０３で生成されたオーディオ信号出力Ｓｏｕｔを、ドライバ部５２２、切替部５２１を介して、信号ポートＡ５１１のＳラインに出力し、信号ポートＡ５１１のＡＰラインから入力するオーディオ信号を切替部５２１、ドライバ部５２２を介して信号ポートＢ５１２のＡＰラインに中継して出力する。一方、オーディオ信号のソースとなるスレーブ装置が自身であり、上流が信号ポートＢ５１２側である場合には、図５ｂ５に示すように、制御部５０２は、ＭＯＳ　ＦＥＴ５５６、５５７、５５８のみがオンとなり、第１セレクタ５６１は信号処理部５０３のオーディオ信号出力Ｓｏｕｔを選択し、第２セレクタ５６２は第２入力ドライバ５３２の出力を選択するよう制御する。そして、これにより、信号処理部５０３で生成されたオーディオ信号出力Ｓｏｕｔを、ドライバ部５２２、切替部５２１を介して、信号ポートＢ５１２のＳラインに出力し、信号ポートＢ５１２のＡＰラインから入力するオーディオ信号を切替部５２１、ドライバ部５２２を介して信号ポートＡ５１１のＡＰラインに中継して出力する。
【００４５】
次に、図６ａ１に１ポートスレーブの構成を示す。
図示するように、１ポートスレーブは、ＡＰラインとＳラインを脱着可能に接続することのできる一つの信号ポート６１１、ＣＮＴラインを脱着可能に接続することのできる制御ポート６０１、制御部６０２、信号処理部６０３、切替部６２１、ドライバ部６２２を有する。
【００４６】
制御部６０２は、ＣＮＴラインを介したマスタ装置からの制御に応じて信号処理部６０３の制御を行う。信号処理部６０３は、信号処理部６０３において生成したオーディオ信号をドライバ部６２２、切替部６２１、信号ポート６１１を介して、Ｓラインに出力する。
【００４７】
図６ａ２に示すように、ドライバ部６２２は、信号処理部６０３のオーディオ信号出力Ｓｏｕｔを増幅出力する出力ドライバ６４１を有する。そして、切替部６２１は、信号ポート６１１のＳライン用端子にドレインが接続され出力ドライバの出力にソースが接続されたＭＯＳ　ＦＥＴ６５１を有する。
【００４８】
ＭＯＳ　ＦＥＴ６５１のゲートには制御部６０２によって常時前記したオン信号が印加されオン状態となされる。ただし、制御部６０２が、自装置がオーディオ信号のソースとなる場合にのみＭＯＳ　ＦＥＴ６５１をオン状態とし、他はＭＯＳ　ＦＥＴ６５１をオフ状態とするようにしてもよい。
【００４９】
次に、図６ｂ１に、２ポートスレーブの内部構成を示す。
図示するように、２ポートスレーブは、ＡＰラインとＳラインを脱着可能に接続することのできる二つの信号ポート７１１、７１２、ＣＮＴラインを脱着可能に接続することのできる制御ポート７０１、制御部７０２、信号処理部７０３、切替部７２１、ドライバ部７２２を有する。制御部７０２は、ＣＮＴラインを介したマスタ装置の制御に応じて信号処理部７０３や切替部７２１やドライバ部７２２の動作の制御を行う。
【００５０】
図６ｂ２に示すように、ドライバ部７２２は、オーディオ信号を増幅して信号処理部７０３のオーディオ信号入力Ｓｉｎに入力する入力ドライバ７３１と、信号処理部７０３のオーディオ信号出力Ｓｏｕｔと入力ドライバ７３１の出力とを入力とするセレクタ７６１と、セレクタ７６１の出力を増幅し出力する出力ドライバ７４１とを有する。
【００５１】
そして、切替部７２１は、信号ポートＡ７１１のＳライン用端子にドレインが接続され入力ドライバ７３１の入力にソースが接続されたＭＯＳ　ＦＥＴ７５１、信号ポートＢ７１２のＳライン用端子にドレインが接続され入力ドライバ７３１の入力にソースが接続されたＭＯＳ　ＦＥＴ７５２、信号ポートＡ７１１のＳライン用端子にドレインが接続され出力ドライバ７４１の出力にソースが接続されたＭＯＳ　ＦＥＴ７５３、信号ポートＢ７１２のＳライン用端子にドレインが接続され出力ドライバ７４１の出力にソースが接続されたＭＯＳ　ＦＥＴ７５４とを有する。
【００５２】
そして、信号ポートＡ７１１のＡＰライン用端子と信号ポートＢ７１２のＡＰライン用端子とは直接接続されている。
各ＭＯＳ　ＦＥＴ７５１〜７５４のゲートには制御部７０２によって前記したオン信号とゼロ電圧であるオフ信号のいずれかが印加され、印加された信号に応じてオン状態とオフ状態のいずれかをとる。また、セレクタ７６１は、制御部７０２の制御に従って、２入力の一方の入力を選択し出力する。
【００５３】
さて、このような２ポートスレーブの動作は次のようになる。
すなわち、オーディオ信号のソースとなるスレーブ装置が自身ではなく、上流が信号ポートＡ７１１側である場合には、図７ａ１に示すように、制御部７０２は、ＭＯＳ　ＦＥＴ７５２、７５３のみがオンとなり、セレクタ７６１が入力ドライバ７３１の出力を選択するよう制御する。そして、これにより信号ポートＢ７１２のＳラインから入力するオーディオ信号を切替部７２１、ドライバ部７２２を介して信号ポートＡ７１１のＳラインに中継して出力する。また、信号ポートＡ７１１のＡＰラインから入力するオーディオ信号は直接信号ポートＢ７１２のＡＰラインに中継され出力される。また、オーディオ信号のソースとなるスレーブ装置が自身ではなく、上流が信号ポートＢ７１２側である場合には、図７ａ２に示すように、制御部７０２は、ＭＯＳ　ＦＥＴ７５１、７５４のみがオンとなり、セレクタ７６１が入力ドライバ７３１の出力を選択するよう制御する。そして、これにより信号ポートＡ７１１のＳラインから入力するオーディオ信号を切替部７２１、ドライバ部７２２を介して信号ポートＢ７１２のＳラインに中継して出力する。また、信号ポートＢ７１２のＡＰラインから入力するオーディオ信号は直接信号ポートＡ７１１のＡＰラインに中継され出力される。
【００５４】
次に、オーディオ信号のソースとなるスレーブ装置が自身であり、上流が信号ポートＡ７１１側である場合には、図７ａ３に示すように、制御部７０２は、ＭＯＳ　ＦＥＴ７５３のみがオンとなり、セレクタ７６１は信号処理部７０３のオーディオ信号出力Ｓｏｕｔを選択するよう制御する。そして、これにより、信号処理部７０３で生成されたオーディオ信号出力Ｓｏｕｔを、ドライバ部７２２、切替部７２１を介して、信号ポートＡ７１１のＳラインに出力する。また、信号ポートＡ７１１のＡＰラインから入力するオーディオ信号は直接信号ポートＢ７１２のＡＰラインに中継され出力される。一方、オーディオ信号のソースとなるスレーブ装置が自身であり、上流が信号ポートＢ７１２側である場合には、図７ａ４に示すように、制御部７０２は、ＭＯＳ　ＦＥＴ７５４のみがオンとなり、セレクタ７６１が信号処理部７０３のオーディオ信号出力Ｓｏｕｔを選択するよう制御する。そして、これにより、信号処理部７０３で生成されたオーディオ信号出力Ｓｏｕｔを、ドライバ部７２２、切替部７２１を介して、信号ポートＢ７１２のＳラインに出力する。また、信号ポートＢ７１２のＡＰラインから入力するオーディオ信号は、直接信号ポートＡ７１１のＡＰラインに中継され出力される。
【００５５】
次に、図８ａ１に１ポートアンプの内部構成を示す。
図示するように、１ポートアンプは、ＡＰラインとＳラインを脱着可能に接続することのできる一つの信号ポート８１１、ＣＮＴラインを脱着可能に接続することのできる制御ポート８０１、制御部８０２、信号処理部８０３、切替部８２１、ドライバ部８２２、スピーカに接続するオーディオ出力部８８０を有する。制御部８０２は、ＣＮＴラインを介したマスタ装置の制御に応じて信号処理部８０３や切替部８２１やドライバ部８２２の動作の制御を行う。信号処理部８０３は、信号ポート８１１、切替部８２１、ドライバ部８２２を介して、ＡＰラインから入力するオーディオ信号を増幅しオーディオ出力部８８０からスピーカに出力する。
【００５６】
図８ａ２に示すように、ドライバ部８２２は、オーディオ信号を増幅して信号処理部８０３のオーディオ信号入力ＡＰｉｎに入力する入力ドライバ８３１を有し、切替部８２１は、信号ポート８１１のＡＰライン用端子にドレインが接続され入力ドライバ８３１の入力にソースが接続されたＭＯＳ　ＦＥＴ８５１を有する。
【００５７】
ＭＯＳ　ＦＥＴのゲート８５１には制御部８０２によって常時前記したオン信号が印加されオン状態とされる。
次に、図８ｂ１に２ポートアンプの内部構成を示す。
図示するように、２ポートアンプは、ＡＰラインとＳラインを脱着可能に接続することのできる二つの信号ポート９１１、９１２、ＣＮＴラインを脱着可能に接続することのできる制御ポート９０１、制御部９０２、信号処理部９０３、切替部９２１、ドライバ部９２２３、スピーカに接続するオーディオ出力部９８０を有する。制御部９０２は、ＣＮＴラインを介したマスタ装置の制御に応じて信号処理部９０３や切替部９２１やドライバ部９２２の動作の制御を行う。
【００５８】
図８ｂ２に示すように、ドライバ部９２２は、オーディオ信号を増幅して信号処理部９０３のオーディオ信号入力ＡＰｉｎに入力する入力ドライバ９３１と、入力ドライバ９３１の出力を増幅し出力する出力ドライバ９４１とを有する。
そして、切替部９２１は、信号ポートＡ９１１のＡＰライン用端子にドレインが接続され入力ドライバ９３１の入力にソースが接続されたＭＯＳ　ＦＥＴ９５１、信号ポートＢ９１２のＡＰライン用端子にドレインが接続され入力ドライバ９３１の入力にソースが接続されたＭＯＳ　ＦＥＴ９５２、信号ポートＡ９１１のＡＰライン用端子にドレインが接続され出力ドライバ９４１の出力にソースが接続されたＭＯＳ　ＦＥＴ９５３、信号ポートＢ９１２のＡＰライン用端子にドレインが接続され出力ドライバ９４１の出力にソースが接続されたＭＯＳ　ＦＥＴ９５４とを有する。
【００５９】
そして、信号ポートＡ９１１のＳライン用端子と信号ポートＢ９１２のＳライン用端子とは直接接続されている。
各ＭＯＳ　ＦＥＴ９５１〜９５４のゲートには制御部９０２によって前記したオン信号とゼロ電圧であるオフ信号のいずれかが印加され、印加された信号に応じてオン状態とオフ状態のいずれかをとる。
さて、このような２ポートアンプの動作は次のようになる。
すなわち、上流が信号ポートＡ９１１側である場合には、図９ａ１に示すように、制御部９０２は、ＭＯＳ　ＦＥＴ９５１、９５４のみがオンとなるよう制御する。そして、これにより信号ポートＡ９１１のＡＰラインから入力するオーディオ信号を切替部９２１、ドライバ部９２２を介して信号処理部９０３のオーディオ信号入力ＡＰｉｎに中継すると共に信号ポートＢ９１２のＡＰラインに中継して出力する。また、信号ポートＢ９１２のＳラインから入力するオーディオ信号は直接信号ポートＡ９１１のＳラインに中継され出力される。また、上流が信号ポートＢ９１２側である場合には、図９ａ２に示すように、制御部９０２は、ＭＯＳ　ＦＥＴ９５２、９５３のみがオンとなるよう制御する。そして、これにより信号ポートＢ９１２のＡＰラインから入力するオーディオ信号を切替部９２１、ドライバ部９２２を介して信号処理部９０３のオーディオ信号入力ＡＰｉｎに中継すると共に、信号ポートＡ９１１のＡＰラインに中継して出力する。また、信号ポートＡ９１１のＳラインから入力するオーディオ信号は直接信号ポートＢ９１２のＳラインに中継され出力される。
【００６０】
ところで、以上のオーディオシステムにおいて、ディジーチェインの途中にオーディオ信号の処理を行わない装置である非信号処理装置を組み込む場合は、この装置を図１０に示すように、信号ポート１０１１、１０１２を二つ設け、二つの信号ポート１０１１、１０１２のＳライン用端子同士とＡＰライン用端子同士を直接接続するようにすればよい。
【００６１】
なお、この装置は、たとえば、制御ポート１００１を介してマスタ装置から要求された処理を制御部１００２が機能部１００３に実行させるものである。
また、以上のオーディオシステムにおいては、図１１ａに示すような複数のスレーブ装置をディジーチェインに組み込むためのハブ装置１１００を設けるようにしてもよい。
図示するようにハブ装置１１００は、少なくともＳラインを脱着可能に接続するための一つの上流側信号ポート１１０１、少なくともＳラインを脱着可能に接続するための複数の下流側信号ポート１１０２、切替部１１０３、切替制御部１１０４を有する。図１１ｂに示すように、切替部１１０３は、出力ドライバ１１２２と、入力ドライバ１１２４と、各々ドレインが各下流側信号ポート１１０２のＳライン用端子に、ソースが入力ドライバ１１２４の入力に接続された複数のＭＯＳ　ＦＥＴ１１２３と、出力ドライバ１１２２の出力にソースが、上流側信号ポート１１０１のＳライン用端子にドレインが接続されたＭＯＳ　ＦＥＴ１１２１とを有する。各ＭＯＳ　ＦＥＴ１１２１、１１２３のゲートには切替制御部１１０４によって前記したオン信号とゼロ電圧であるオフ信号のいずれかが印加され、印加された信号に応じてオン状態とオフ状態のいずれかをとる。
【００６２】
このような構成において、下流側信号ポート１１０２より下流側に接続されたスレーブ機器をオーディオ信号のソースとする場合には、当該スレーブ機器が直接または他のスレーブ機器を介して接続されている下流側信号ポート１１０２のＳライン用信号端子にドレインが接続しているＭＯＳ　ＦＥＴ１１２３と、上流側信号ポートのＳライン用信号端子にドレインが接続しているＭＯＳ　ＦＥＴ１１２１とのみをオン状態とする。そして、これにより、オーディオ信号のソースとするスレーブ装置からのオーディオ信号を、上流側のＳラインに中継する。なお、図示は省略したが各装置は制御ポートを有し、ハブ装置の切替制御部１１０４は、ＣＮＴラインを介したマスタ装置の制御に応じて切替部１１０３の動作の制御を行う。
【００６３】
また、以上のオーディオシステムには、図１２ａに示すような複数のスレーブ装置またはアンプ装置をディジーチェインに組み込むためのハブ装置１２００を設けるようにしてもよい。
図示するように、このハブ装置１２００は、ＡＰラインとＳラインを脱着可能に接続するための一つの上流側信号ポート１２０１、ＡＰラインとＳラインを脱着可能に接続するための複数の下流側信号ポート１２０２、切替部１２０３、切替制御部１２０４を有する。図１２ｂに示すように、切替部１２０３は、図１１ｂに示した構成１１２１〜１１２４に加え、各々ドレインが各下流側信号ポート１２０２のＡＰライン用端子に接続された複数のＭＯＳ　ＦＥＴ１２１４と、上流側信号ポート１２０１のＡＰライン用端子にドレインが接続されたＭＯＳＦＥＴ１２１１と、上流側信号ポート１２０１のＡＰライン用端子に接続されたＭＯＳ　ＦＥＴ１２１１のソースに入力が接続する入力ドライバ１２１２と、各々入力ドライバ１２１２の出力に入力が接続された複数の出力ドライバ１２１３とを有し、各出力ドライバ１２１３の出力は、各々下流側信号ポート１２０２のＡＰライン用端子に接続されたＭＯＳ　ＦＥＴ１２１４のソースに接続されている。
【００６４】
各ＭＯＳ　ＦＥＴ１１２１、１１２３、１２１１、１２１４のゲートには切替制御部１２０４によって前記したオン信号とゼロ電圧であるオフ信号のいずれかが印加され、印加された信号に応じてオン状態とオフ状態のいずれかをとる。
このような構成において、下流側信号ポート１２０２より下流側に接続されたスレーブ機器をオーディオ信号のソースとする場合には、当該スレーブ機器が直接または他のスレーブ機器を介して接続されている下流側信号ポート１２０２のＳライン用信号端子にドレインが接続しているＭＯＳ　ＦＥＴ１１２３と、上流側信号ポート１２０１のＳライン用信号端子にドレインが接続しているＭＯＳ　ＦＥＴ１１２１とのみをオン状態とする。そして、これにより、オーディオ信号のソースとするスレーブ装置からのオーディオ信号が、上流側のＳラインに中継する。また、ＭＯＳ　ＦＥＴ１２１１、１２１４は常時オン状態とされ、上流側信号ポート１２０１のＡＰライン用信号端子から入力するオーディオ信号は、入力ドライバ１２１２、出力ドライバ１２１３によって分配され各下流側信号ポート１２０２のＡＰライン用端子に中継され出力される。なお、図示は省略したが各装置は制御ポートを有し、ハブ装置の切替制御部１２０４は、ＣＮＴラインを介したマスタ装置の制御に応じて切替部１２０３の動作の制御を行う。
【００６５】
さて、以上のオーディオシステムにおけるオーディオ信号の伝送に必要となるクロックやフレーム同期は、たとえば、別途同期信号用のラインを各装置に接続して同期信号をマスタ装置から各装置で供給するか、オーディオ信号をフレーム化して伝送するようにし、フレームのプリアンブル部に同期用の信号を含めるようにするなどの手法により行うことができる。
【００６６】
また、以上のオーディオシステムにおいては、信号ポートを２つ有するスレーブ装置やアンプ装置は、どちら側の信号ポートが上流側であるかを知る必要があり、１ポートサブマスタや２ポートサブマスタは自身がマスタとして動作すべきかスレーブとして動作すべきかを知る必要がある。これらの情報は、各装置に個別に設定するようにしても良いが、たとえば、以下な手法などにより自動的にマスタ装置や各スレーブ装置に設定することもできる。
【００６７】
すなわち、電源投入直後の初期動作時に、マスタ装置は各信号ポートのＡＰラインに問い合わせ信号を送信する。初期動作時に、２つの信号ポートを有するスレーブ装置やアンプ装置の制御部は、両信号ポートのＡＰラインからの問い合わせ信号の受信を監視し、問い合わせ信号を受信したならば、問い合わせ信号を受信した方の信号ポートを上流と認識し、受信した問い合わせ信号を下流側の信号ポートからＡＰラインに送信する。また、１ポートサブマスタや２ポートサブマスタである装置は、初期動作時にはスレーブ装置として以上の動作を行うが、初期動作開始後、サブマスタ毎に異なる時間となるように操作された所定期間内に問い合わせ信号を受信しない場合には、マスタ装置として以上の動作を行う。
【００６８】
なお、２ポートスレーブやスレーブ装置として機能している２ポートサブマスタは、実際に下流側のスレーブ装置がソースとなっている場合にのみ、以上の自身がソースとなるスレーブ装置でない場合の動作を行うようにしてもよい。
さて、以上のように、本実施形態によれば、複数のスレーブ装置やアンプ装置を含めたオーディオシステムを、スレーブ装置とアンプ装置を順次、接続順を考慮する必要なしにディジーチェイン接続していくだけで容易に構築することができる。また、オーディオシステムの構成の変更等も同様に容易に行うことができる。また、マスタ装置へ向かう信号の伝送に用いる伝送路であるＳラインと、マスタ装置から下流に向かう信号の伝送に用いる伝送路であるＡＰラインとを分離して設けたので、各装置の信号伝送のための構成を、同じ信号ラインで信号の双方向伝送を行う場合などに比べ簡易化することができる。また、ディジーチェイン接続の採用により、スター型の配線を行う場合に比べ省配線化が図られる。特にＣＮＴラインの接続もディジーチェイン接続とすれば、２装置間のＣＮＴライン、Ｓライン、ＡＰラインを一本の複合ケーブルの形態で実現できるようになる。もちろん、ＣＮＴラインの接続をディジーチェイン接続としない場合においても、２装置間のＳライン、ＡＰラインを一本の複合ケーブルの形態で実現することが好ましい。
【００６９】
また、本実施形態によれば、装置間オーディオ信号の伝送が必ず１つの出力ドライバから１つの入力ドライバへの伝送の形態で行われるため、多数の装置をオーディオシステムに含めた場合でも、バス接続により装置間オーディオ信号の伝送を行う場合のように、伝送能力が劣化してしまうことがない。
【００７０】
また、オーディオ信号伝送路のインタフェース素子としてＭＯＳ　ＦＥＴを用い、そのゲート電圧を所定レベル以下に制御しているので、入力ドライバや出力ドライバを伝送路上の過電圧から保護することができる。また、このＭＯＳ　ＦＥＴを信号伝送経路の切替にも利用しているので、装置構成の簡略化が図られる。
【００７１】
なお、以上では、スレーブ装置やアンプ装置のディジーチェイン上の接続順をＳラインとＡＰラインで同じとしたが、これは必ずしもＳラインとＡＰラインで同じとしなくてもよい。ただし、この場合には、２ポートのスレーブ装置や２ポートのアンプ装置において、ＳラインとＡＰラインとのそれぞれについて上流下流を管理し、ドライバ部や切替部における信号伝送経路を切り替えるようにする。また、以上では、デジタルのオーディオ信号を機器間で伝送するオーディオシステムへの適用を例にとり説明したが、本実施形態はたとえばデジタルビデオ信号などを装置間で伝送するビデオシステムなどにも同様に適用可能である。この場合、以上の実施形態におけるアンプ装置を、たとえば表示装置などの出力装置で置き換えればよい。また、この場合に、マスタ装置は、たとえば、スレーブ装置がデジタルビデオデータとして生成した映像に文字や他の映像などを合成などする装置などとしてよい。
【００７２】
【発明の効果】
以上のように、本発明によれば、機器数が多数の場合でもより容易に機器間の接続を行うことのできる、省配線化された信号伝送システムを提供することができる。
【図面の簡単な説明】
【図１】本発明の実施形態に係るオーディオシステムの構成例を示すブロック図である。
【図２】本発明の実施形態に係るオーディオシステムにおける信号伝送経路の例を示す図である。
【図３】本発明の実施形態に係る１ポートマスタ、２ポートマスタの構成を示すブロック図である。
【図４】本発明の実施形態に係る１ポートサブマスタ、２ポートサブマスタの構成を示すブロック図である。
【図５】本発明の実施形態に係る１ポートサブマスタ、２ポートサブマスタの信号伝送経路を示すブロック図である。
【図６】本発明の実施形態に係る１ポートスレーブ、２ポートスレーブの構成を示すブロック図である。
【図７】本発明の実施形態に係る２ポートスレーブの信号伝送経路を示すブロック図である。
【図８】本発明の実施形態に係る１ポートアンプ、２ポートアンプの構成を示すブロック図である。
【図９】本発明の実施形態に係る２ポートアンプの信号伝送経路を示すブロック図である。
【図１０】本発明の実施形態に係る非信号処理装置の構成を示すブロック図である。
【図１１】本発明の実施形態に係るハブ装置の構成を示すブロック図である。
【図１２】本発明の実施形態に係るハブ装置の他の構成を示すブロック図である。
【符号の説明】
３０１；制御ポート、３０２；制御部、３０３；信号処理部、３１１；信号ポート、３２１；切替部、３２２；ドライバ部、３３１；入力ドライバ、３４１；出力ドライバ、３５１〜３５２；ＭＯＳ　ＦＥＴ、３８１；制御ポート、３８２；制御部、３８３；信号処理部、４０１；制御ポート、４０２；制御部、４０３；信号処理部、４１１；信号ポート、４２１；切替部、４２２；ドライバ部、４３１；入力ドライバ、４４１；出力ドライバ、４５１〜４５３；ＭＯＳ　ＦＥＴ、５０１；制御ポート、５０２；制御部、５０３；信号処理部、５１１、５１２；信号ポート、５２１；切替部、５２２；ドライバ部、５３１；第１入力ドライバ、５３２；第２入力ドライバ、５４１；第１出力ドライバ、５４２；第２出力ドライバ、５５１〜５５９；ＭＯＳ　ＦＥＴ、５６１；第１セレクタ、５６２；第２セレクタ、６０１；制御ポート、６０２；制御部、６０３；信号処理部、６１１；信号ポート、６２１；切替部、６２２；ドライバ部、６４１；出力ドライバ、６５１；ＭＯＳ　ＦＥＴ、７０１；制御ポート、７０２；制御部、７０３；信号処理部、７１１、７１２；信号ポート、７２１；切替部、７２２；ドライバ部、７３１；入力ドライバ、７４１；出力ドライバ、７６１；セレクタ、７５１〜７５４；ＭＯＳ　ＦＥＴ、８０１；制御ポート、８０２；制御部、８０３；信号処理部、８１１；信号ポート、８２１；切替部、８２２；ドライバ部、８３１；入力ドライバ、８５１；ＭＯＳ　ＦＥＴ、８８０；オーディオ出力部、９０１；制御ポート、９０２；制御部、９０３；信号処理部、９１１、９１２；信号ポート、９２１；切替部、９２２；ドライバ部、９３１；入力ドライバ、９４１；出力ドライバ、９５１〜９５４；ＭＯＳ　ＦＥＴ、９８０；オーディオ出力部、１００１；制御ポート、１００２；制御部、１００３；機能部、１０１１、１０１２；信号ポート、１１００；ハブ装置、１１０１；上流側信号ポート、１１０２；下流側信号ポート、１１０３；切替部、１１０４；切替制御部、１１２１、１１２３；ＭＯＳ　ＦＥＴ、１１２２；出力ドライバ、１２１４；入力ドライバ、１２００；ハブ装置、１２０１；上流側信号ポート、１２０２；下流側信号ポート、１２０３；切替部、１２０４；切替制御部、１２１１、１２１４；ＭＯＳ　ＦＥＴ、１２１２；入力ドライバ、１２１３；出力ドライバ
【図１】
2004072137.tif 000003
【図２】
2004072137.tif 000004
【図３】
2004072137.tif 000005
【図４】
2004072137.tif 000006
【図５】
2004072137.tif 000007
【図６】
2004072137.tif 000008
【図７】
2004072137.tif 000009
【図８】
2004072137.tif 000010
【図９】
2004072137.tif 000011
【図１０】
2004072137.tif 000012
【図１１】
2004072137.tif 000013
【図１２】
2004072137.tif 000014